(57)【要約】【課題】スクリーンを張設したドラムにリボンスクリューを固着したドラム型濃縮機に関し、濃縮機内部に凝集剤を添加してより強力な凝集フロックを形成することができるドラム型濃縮機を提供する。ドラム型濃縮機を提供する。【解決手段】周囲にスクリーン２を張設したドラム３の内周面にリボンスクリュー４を固着し、ドラム３始端側から内部に供給した被処理液をドラム３の回転により終端側へ搬送しながら濃縮するドラム型濃縮機１において、リボンスクリュー４の回転軸に沿って凝集剤の給液管８を挿入することで、濃縮機内部に凝集剤を添加し、より強力な凝集フロックを形成することができる。【選択図】図１
2016123947.tif 000002
【特許請求の範囲】
【請求項１】
周囲にスクリーン（２）を張設したドラム（３）の内周面にリボンスクリュー（４）を固着し、ドラム（３）始端側から内部に供給した被処理液をドラム（３）の回転により終端側へ搬送しながら濃縮するドラム型濃縮機（１）において、
リボンスクリュー（４）の回転軸に沿って凝集剤の給液管（８）を挿入する
ことを特徴とするドラム型濃縮機。
【請求項２】
前記給液管（８）の外径をリボンスクリュー（４）の内径に近似させると共に、
給液管（８）のドラム（３）始端側に給液孔（９）を設け、
給液管（８）を給液孔（９）の下流側で閉止する
ことを特徴とする請求項１に記載のドラム型濃縮機。
【請求項３】
前記リボンスクリュー（４）の回転軸に沿って被処理液の供給管（５）を挿入し、
供給管（５）の外径をリボンスクリュー（４）の内径に近似させると共に、
供給管（５）のドラム（３）始端側に供給孔（７）を設け、
供給管（５）を供給孔（７）の下流側で閉止する
ことを特徴とする請求項１又は２に記載のドラム型濃縮機。
【請求項４】
前記供給管（５）をドラム（３）の始端部から挿入し、供給管（５）を始端部からリボンスクリュー（４）の１ピッチ以上延設すると共に、
給液管（８）をドラム（３）の終端部から挿入する
ことを特徴とする請求項３に記載のドラム型濃縮機。
【請求項５】
前記供給管（５）とリボンスクリュー（４）を摺動自在に配設し、摺動面にシールを施す
ことを特徴とする請求項３又は４に記載のドラム型濃縮機。
【請求項６】
前記ドラム（３）の始端部から終端部へ向かってリボンスクリュー（４）のピッチを漸減する
ことを特徴とする請求項１乃至５の何れか一項に記載のドラム型濃縮機。
【発明の詳細な説明】
【技術分野】
【０００１】
本発明は、固形物と水分を含む大量の被処理液から水分を分離除去して固形物を得るための濃縮機に関し、特に、回転するドラム型のスクリーン内に被処理液を供給し、スクリューで被処理液を搬送しつつ濃縮を行うドラム型濃縮機に関する。
【背景技術】
【０００２】
従来から、被処理液に凝集剤を添加し、濃縮処理を行った後の固形物に対し、より水分を除去するために脱水を行うこと、さらには脱水の際に回収した脱水分離液を、前段の濃縮機に供給する技術が特許文献１に開示されている。
【０００３】
そして、濃縮処理に用いる濃縮機として、スクリーンを張設したドラム内に螺旋状の固形物排出羽根（以下、リボンスクリュー）を配設し、スクリーン内に形成されるろ過室に被処理液を供給し、ドラムを回転させながら濃縮搬送を行う回転濃縮機が特許文献２に開示されている。
【０００４】
また、スクリーンを張設したドラムとスクリュー羽根を巻き掛けたスクリュー軸を同心上に配設し、スクリュー軸に設けた供給路の供給孔からドラムとスクリュー軸で構成するろ過室に被処理液を供給し、ドラムとスクリュー軸を逆回転させながら被処理液を濃縮搬送し、ろ過室の終端部から濃縮された固形物を排出する回転濃縮機が特許文献３のように知られている。
【先行技術文献】
【特許文献】
【０００５】
【特許文献１】特開２０１０−０００４３６
【特許文献２】特開平１０−１６５７２３
【特許文献３】特開２００４−１７０１４
【発明の概要】
【発明が解決しようとする課題】
【０００６】
特許文献１には、濃縮機の前段の凝集混和槽で、被処理液に凝集剤を加えている。また、スクリュープレスで得られた脱水分離液をスクリュープレス前段の濃縮機に返送することが開示されているが、濃縮機に添加した脱水分離液中の固形物は凝集フロックを形成しづらく、濃縮汚泥の脱水性は良い物ではなかった。
【０００７】
特許文献２に記載される濃縮機では、ドラムの下方でリボンスクリューによって区画されたろ過室に被処理液が供給され、リボンスクリューがドラムと共に回転することで排出方向に被処理液を搬送しながら濃縮を行う。
【０００８】
しかし、被処理液の供給量が多い場合、ろ過室を区画する下方のリボンスクリューの高さ以上に被処理液が供給され、リボンスクリューの高さを超えた被処理液はリボンスクリューの内周縁から排出側へ流れ込む。（図４参照）このように、リボンスクリューを用いると供給した被処理液の液位は下方リボンスクリューの高さ以上に高くならないため、液に浸ったろ過面（有効ろ過面）の面積は限られることになり、被処理液はドラムの下方でしか濃縮されず、効率の良いものではなかった。また、過供給により被処理液が排出側に流れ込み、未濃縮のまま排出されることもあり得るため、大容量の処理を行うことが困難であった。
【０００９】
特許文献３に記載される濃縮機は、スクリュー軸を備えるため、ドラムに供給された被処理液の液位が下方のスクリュー羽根の高さを越えても排出側の区画へ流れ込むことはなく、被処理液の液位はスクリュー軸の高さまで上昇する。
【００１０】
しかし、特許文献１とは異なり、被処理液の搬送にはスクリュー軸を回転させるため、回転駆動機や軸受けが必要となる。また、スクリーン下方に負荷が集中するため、ドラムを回転させて目詰まりを防止しているが、ドラムを回転させると駆動機構が別に必要で装置が複雑となる。
【００１１】
本発明は、濃縮された被処理液に凝集剤を添加し、より強固な凝集フロックを形成して脱水するために、濃縮機内部に凝集剤を添加することのできるドラム型濃縮機を提供するものである。
【課題を解決するための手段】
【００１２】
周囲にスクリーンを張設したドラムの内周面にリボンスクリューを固着し、ドラム始端側から内部に供給した被処理液をドラムの回転により終端側へ搬送しながら濃縮するドラム型濃縮機において、リボンスクリューの回転軸に沿って凝集剤の給液管を挿入することで、濃縮機内部に凝集剤を添加し、より強力な凝集フロックを形成することができる。
【００１３】
前記給液管の外径をリボンスクリューの内径に近似させると共に、給液管のドラム始端側に給液孔を設け、給液管を給液孔の下流側で閉止することで、被処理液の供給量が多い場合には液位が給液管の上方まで上昇し、有効ろ過面積を増加させて速やかに濃縮を行うことができる。
【００１４】
前記リボンスクリューの回転軸に沿って被処理液の供給管を挿入し、供給管の外径をリボンスクリューの内径に近似させると共に、供給管のドラム始端側に供給孔を設け、供給管を供給孔の下流側で閉止することで、供給管を挿入した部分では供給した被処理液の液位を供給管の上方まで上昇させ、有効ろ過面積を増加させることができる。
【００１５】
前記供給管をドラムの始端部から挿入し、供給管を始端部からリボンスクリューの１ピッチ以上延設すると共に、給液管をドラムの終端部から挿入することで、安定して液位を供給管より上方まで上昇させることができる。
【００１６】
前記供給管とリボンスクリューを摺動自在に配設し、摺動面にシールを施すことで、供給管とリボンスクリューとの間隙から被処理液が漏れ出すことはない。
【００１７】
前記ドラムの始端部から終端部へ向かってリボンスクリューのピッチを漸減することで、始端部ではろ過面が大きく、終端部では搬送速度が緩やかで濃縮時間を増やすことができる。
【発明の効果】
【００１８】
濃縮機内で添加した凝集剤はドラムの回転と共に被処理液と混ざり合い、未濃縮汚泥をドラム内で凝集させることができる。また、濃縮されつつある被処理液に凝集剤を添加するため、より強固な凝集フロックが形成される。濃縮機のリボンスクリューの回転軸に沿って挿入した給液管で凝集剤の添加を行うと、給液管の挿入位置を調整して凝集剤の添加位置を容易に設定できる。
【００１９】
供給管の外径をリボンスクリューの内径に近似させるため、供給管を延設した部分では供給した被処理液の液位が供給管の上方まで上昇し、ドラムの上方でも濃縮を行うことができるため、濃縮効率が向上する。給液管の外径をリボンスクリューの内径に近似させることでも同様に濃縮効率が向上する。また、ドラムの回転機構のみにより濃縮運転を行うため、装置の構造が簡易となり、メンテナンスが容易で製造コストを低減させることもできる。
【図面の簡単な説明】
【００２０】
【図１】本発明に係る脱水処理のフローを示す図である。
【図２】同じく、ドラム型濃縮機の断面図である。
【図３】同じく、ドラム型濃縮機の略断面図である。
【図４】従来のドラム型濃縮機の略断面図である。
【発明を実施するための形態】
【００２１】
図１は、本発明に係る脱水処理のフローを示す図である。
図１に示すように、本発明の脱水処理は、排水処理等に流入する被処理液（汚泥など）に凝集剤を添加して混和させる凝集混和槽１０１と、この凝集混和槽で生成した凝集汚泥を濃縮処理して分離液と濃縮汚泥を得る濃縮機１０２と、得られた濃縮汚泥を圧搾脱水処理して脱水ケーキと脱水分離液とを得る脱水機１０３と、凝集混和槽１０１と濃縮機１０２に添加する凝集剤を貯留する薬注タンク１０８を備えている。
脱水機１０３はスクリュープレス等の公知の脱水機を利用できる。
【００２２】
図２は、本発明に係るドラム型濃縮機の断面図である。
本発明に係る濃縮機１０２はドラム型濃縮機１を採用し、ドラム型濃縮機１は、周囲にスクリーン２を張設したドラム３と、ドラム３内周面に固着したリボンスクリュー４と、ドラム３内に被処理液を供給する固定式の供給管５と、ドラム３を回転させる回転駆動機６と、薬注タンク１０８と連結して凝集剤を添加する給液管８とを備える。
【００２３】
リボンスクリュー４を備えたドラム３の始端部は閉止され、終端部を開放している。ドラム３の始端側から供給された被処理液は、ドラム３と共に回転するリボンスクリュー４によってドラム３終端部へ向かって搬送される。被処理液は搬送されながらドラム３に張設したスクリーン２で水分のみが分離され、分離した水分はドラム３下方から排出される。そして、開放したドラム３終端部からは濃縮された固形物が排出される。
【００２４】
被処理液をドラム３内へ供給する供給管５の外径は、リボンスクリュー４の内径と同等の大きさを有しており、ドラム３の始端部からリボンスクリュー４の回転軸に沿ってドラム３内部へ挿入されている。ドラム３に挿入した供給管５は、ドラム３内部まで延設する。具体的には、リボンスクリュー４の１ピッチの長さ以上延設することで、後述する本発明の効果が得られる。
【００２５】
供給管５のドラム３の始端側には、供給管５から被処理液をドラム３内に供給するための供給孔７を設けている。また、供給管５は、供給孔７の下流側で閉止している。
供給管５の外径はリボンスクリュー４の内径に近似しており、且つ微小な隙間を有する。供給管５は固定式のため、ドラム３の回転によって供給管５が共に回転することはない。
【００２６】
凝集剤をドラム３内へ添加する給液管８は、ドラム３の終端部からリボンスクリュー４の回転軸に沿ってドラム３内へ挿入する。給液管８はドラム３内に凝集剤を添加するための給液孔９を設け、給液孔９の下流側で給液管８を閉止している。凝集剤の添加位置は適宜設定する。
【００２７】
給液管８の外径はリボンスクリュー４の内径に近似させ、且つ微小な隙間を設けて配設することで、供給管５と同様に、ドラム３内の被処理液の液位を上方まで上昇させることができる。給液管８は添加位置で固定するため、ドラム３と共に回転することはない。また、供給管５と給液管８を連結する構成としてもよい。
【００２８】
その他、供給孔７を供給管５の上面に設けるなど、供給管５内の液位を常にスクリーン２上方以上に保つことで、ドラム３へ供給１された被処理液の液位がスクリーン２上方まで上昇する。供給管５には被処理液をドラム３内部へ圧入するための供給装置を設けてもよい。給液管８も供給管５と同様にして凝集剤を添加する。
【００２９】
図３は、本発明に係るドラム型濃縮機の略断面図である。
本発明のドラム型濃縮機１の始端側では、ドラム３内部に延設した供給管５を、リボンスクリュー４と微小な隙間をもたせて配設している。
開放したドラム３の終端部からはリボンスクリュー４の回転軸に沿って給液管８が挿入されている。給液管８から凝集剤がドラム３内へ添加され、供給管５から供給された被処理液と合わさり凝集フロックが形成される。
【００３０】
図３（ａ）は、被処理液供給初期のドラム型濃縮機１の略断面図であって、供給管５の供給孔７から供給した被処理液は、リボンスクリュー４によって区画されたドラム３始端側のろ過室に供給され、濃縮されながら堆積する。
【００３１】
堆積した被処理液の液位は、供給管５を延設してリボンスクリュー４の中空部を塞いでいるため、供給管５の上方まで上昇する。なお、供給管５とリボンスクリュー４は微小な隙間を有しているため、ごく少量の被処理液が隙間から流出するが、被処理液の供給量が流出量を上回ように設定すれば、被処理液の液位は上昇する。本実施例では１ｍｍ程度の隙間を設ける。
【００３２】
供給管５はリボンスクリュー４のピッチ長さだけ延設することで、リボンスクリュー４の中空部を塞ぎ、被処理液の液位を供給管５の上方まで上昇させることができる。また、リボンスクリュー４の回転を考慮すると、ピッチの２倍の長さ以上延設することがより好ましい。その他、供給管５の外径を大きくすることで、ろ過面の単位面積当たりの液量負荷が小さくなるため、濃縮効率が良くなる。
【００３３】
図３（ｂ）は、濃縮運転中のドラム型濃縮機１の略断面図であって、ドラム３始端側で堆積した被処理液の液位が供給管５の高さを超え、排出方向のろ過室へ流入している。流入した先のろ過室まで供給管５が延設している場合、被処理液は再び堆積し、供給管５の高さまで液位が上昇する。
【００３４】
また、供給管５の終端部より排出側では、給液管８から添加される凝集剤と被処理液が合わさり、ドラム３と共に回転するリボンスクリュー４によってドラム３終端側へ搬送されながら凝集・濃縮が行われる。なお、ドラム３終端側へ向かうにつれ濃縮が進むため、液位は低下していく。そして、濃縮された固形物はドラム３終端部より排出される。
【００３５】
本発明のようなドラム型濃縮機１では、供給した被処理液の液位が高くなるにつれ、ドラム３のスクリーン２（ろ過面）に被処理液が当接する面積が増加し、濃縮効率が高くなる。特に供給直後の被処理液は多くの水分を含んでいるため、ろ過面の増加による濃縮効率の向上が顕著に現れる。
【００３６】
本発明のように供給管５とリボンスクリュー４を構成することで、供給直後の未濃縮の被処理液を供給管５の高さまで供給するこができ、円筒状のろ過面を有効に利用し、濃縮効率の向上を図ることができる。
【００３７】
また、リボンスクリュー４のピッチは、ドラム３始端側では大きく、終端側に向かうにつれ漸減するように構成すると、始端側のろ過面積は大きくなり、終端側では濃縮された固形物の滞留時間が増えるため、濃縮濃度をより低減させることができる。
【００３８】
本実施例では、供給管５とリボンスクリュー４の間に微小な隙間を設けているが、供給管５とリボンスクリュー４を摺動自在に配設することでも同様の効果が得られる。
その際、供給管５とリボンスクリュー４の摺動面にはシールゴム等の公知の技術でシールを施し、供給した被処理液が供給管５とリボンスクリュー４の間から流出しない構造としてもよい。
【産業上の利用可能性】
【００３９】
本発明に係るドラム型濃縮機は、ドラム内で搬送中の濃縮汚泥に凝集剤を添加することでより強固な凝集フロックを形成させ、脱水機での脱水性を向上させることが可能となる。また、供給管の外径をリボンスクリューの内径と近似させることで、従来は利用できなかったドラムの上方のろ過面を利用できる構成としている。従ってろ過面が増加し、上水・下水汚泥や工業排水等の大容量の処理を必要とする処理場に好適なドラム型濃縮機となるものである。
【符号の説明】
【００４０】
１  ドラム型濃縮機
２  スクリーン
３  ドラム
４  リボンスクリュー
５  供給管
７  供給孔
８  給液管
９  給液孔
【図１】
2016123947.tif 000003
【図２】
2016123947.tif 000004
【図３】
2016123947.tif 000005
【図４】
2016123947.tif 000006